(57)【要約】【課題】荷物を汚染しにくいフレキシブルコンテナバッグ用補強シート及びそれを使用したフレキシブルコンテナバッグを提供する。【解決手段】複数の貫通穴が開けられているシート本体２１を具えるフレキシブルコンテナバッグ用補強シートであって、シート本体２１は、ポリエチレン織布２１１と、ポリエチレンにより形成されたものであって、ポリエチレン織布２１１の両面にラミネートされた２つのラミネート層２１２と、ポリエチレンにより形成されたフィルムであって、２つのラミネート層２１２をそれぞれポリエチレン織布２１１との間に挟むように２つのラミネート層２１２それぞれの外面に設置されている２つの補強層２１３と、を含む。【選択図】図３
0003214968.tif 000002
【実用新案登録請求の範囲】
【請求項１】
複数の貫通穴が開けられているシート本体を具えるフレキシブルコンテナバッグ用補強シートであって、
前記シート本体は、ポリエチレン織布と、
ポリエチレンにより形成されたものであって、前記ポリエチレン織布の両面にラミネートされた２つのラミネート層と、
ポリエチレンにより形成されたフィルムであって、前記２つのラミネート層をそれぞれ前記ポリエチレン織布との間に挟むように前記２つのラミネート層それぞれの外面に設置されている２つの補強層と、を含むことを特徴とするフレキシブルコンテナバッグ用補強シート。
【請求項２】
前記ポリエチレン織布は、デニールが６５０〜２０００の範囲内にあり、且つ、スレッドカウントが１４〜３４の範囲内にあることを特徴とする請求項１に記載のフレキシブルコンテナバッグ用補強シート。
【請求項３】
前記ラミネート層の厚さは、１０マイクロメートル〜４０マイクロメートルの範囲内にあることを特徴とする請求項１または請求項２に記載のフレキシブルコンテナバッグ用補強シート。
【請求項４】
前記ラミネート層の厚さは、１５マイクロメートル〜３０マイクロメートルの範囲内にあることを特徴とする請求項１または請求項２に記載のフレキシブルコンテナバッグ用補強シート。
【請求項５】
前記補強層の厚さは、５０マイクロメートル〜１００マイクロメートルの範囲内にあることを特徴とする請求項１〜請求項４のいずれか一項に記載のフレキシブルコンテナバッグ用補強シート。
【請求項６】
前記補強層の厚さは、６０マイクロメートル〜８０マイクロメートルの範囲内にあることを特徴とする請求項１〜請求項４のいずれか一項に記載のフレキシブルコンテナバッグ用補強シート。
【請求項７】
前記ポリエチレン織布は、高密度ポリエチレンにより構成されており、
前記ラミネート層は、低密度ポリエチレンにより構成されており、
前記補強層は、直鎖状低密度ポリエチレン、低密度ポリエチレンまたはそれらの組み合わせにより構成されていることを特徴とする請求項１〜請求項６のいずれか一項に記載のフレキシブルコンテナバッグ用補強シート。
【請求項８】
織物製の内袋と、前記内袋内に設置されている４つのそれぞれ略長方形に形成された請求項１〜請求項７のいずれか一項に記載のフレキシブルコンテナバッグ用補強シートと、を含み、
前記内袋は、収容空間を囲むよう中空略長方体になっている袋本体を有し、
前記袋本体は、上下両端が開口する中空四角柱を構成した４つの側壁部を有し、
前記４つのフレキシブルコンテナバッグ用補強シートそれぞれの一対の反対側にある両側縁は、前記４つの側壁部が囲んでなっている中空四角柱の４つの角それぞれを構成している隣接する２つの前記側壁部のそれぞれに縫い合わされていることを特徴とするフレキシブルコンテナバッグ。
【考案の詳細な説明】
【技術分野】
【０００１】
本考案はフレキシブルコンテナバッグに関し、具体的にはフレキシブルコンテナバッグ用補強シート及びそれを使用したフレキシブルコンテナバッグに関する。
【背景技術】
【０００２】
フレキシブルコンテナバッグは粉末や粒状物などの荷物を保管・運搬するための袋状のものである。一般的に、フレキシブルコンテナバッグは、体積が１立方メートル以上になり、積付けの利便性ために、一定の形に保持できる補強構造が必要である。
【０００３】
例えば、特許文献１に開示されているフレキシブルコンテナバッグは、図１に示されるように、反対する両端それぞれが開口している中空四角柱状の収容空間１１１を囲んでいる周壁部１１と、開閉自在の輸送管１２１が設置されていると共に、収容空間１１１の両方の開口それぞれを覆っている２つの端壁部１２と、複数の貫通穴１３１が開けられていると共に、周壁部１１により構成されている中空四角柱の４つの角にそれぞれ縫い合わされている４つの補強シート１３と、により構成されている。
【０００４】
荷物を該フレキシブルコンテナバッグに詰める際には、１つの端壁部１２の輸送管１２１を開けて、該輸送管１２１を経由して荷物を収容空間１１１に入れる。また、収容空間１１１に入れられた荷物は更に貫通穴１３１を経由して補強シート１３と周壁部１１との間にも詰められる。荷物がフレキシブルコンテナバッグを充満すると、荷物による横方向の圧力が周壁部１１を横へ変形する力になるが、中空四角柱の４つの角にそれぞれ縫い合わされている４つの補強シート１３が荷物による圧力に抵抗する力を生じて、周壁部１１の形を保持する。
【先行技術文献】
【特許文献】
【０００５】
【特許文献１】台湾実用新案登録第Ｍ３６３４５１号明細書
【考案の概要】
【考案が解決しようとする課題】
【０００６】
しかし、特許文献１に開示されている補強シート１３は、ポリプロピレン織布を中心層として、ポリプロピレン織布の両面にポリプロピレンをラミネートすることにより構成されたので、荷物をフレキシブルコンテナバッグに詰める際に、補強シート１３が荷物からの押圧により変形されてラミネートされたポリプロピレンが破損しやすい。ラミネートされたポリプロピレンが破損すると、中心層であるポリプロピレン織布が露出し、ポリプロピレン織布が荷物に直接に押圧・摩擦されることにより、ポリプロピレン織布を構成する糸が抜けて荷物に混入するという問題点がある。更に、補強シート１３の周縁及びその貫通穴１３１の周縁部分は、他の部分より破損しやすく、ポリプロピレン織布を構成する糸が抜けて荷物に混入する事が生じやすい。
【０００７】
特に、荷物の不純物の許容範囲が低い場合には、例えば、光学部品用のポリカーボネートが混入物で汚染されると、汚染されたポリカーボネートにより製造された光学部品の不良率が大幅に増える。また、荷物が食物の場合には、食用者がポリプロピレンを誤食し、健康を害する問題点がある。
【０００８】
上記問題点に鑑みて、本考案は、荷物を汚染しにくいフレキシブルコンテナバッグ用補強シートの提供を目的とする。
【課題を解決するための手段】
【０００９】
上記目的を達成すべく、本考案は、複数の貫通穴が開けられているシート本体を具えるフレキシブルコンテナバッグ用補強シートであって、前記シート本体は、ポリエチレン織布と、ポリエチレンにより形成されたものであって、前記ポリエチレン織布の両面にラミネートされた２つのラミネート層と、ポリエチレンにより形成されたフィルムであって、前記２つのラミネート層をそれぞれ前記ポリエチレン織布との間に挟むように前記２つのラミネート層それぞれの外面に設置されている２つの補強層と、を含むことを特徴とするフレキシブルコンテナバッグ用補強シートを提供する。
【００１０】
また、織物製の内袋と、前記内袋内に設置されている４つのそれぞれ略長方形に形成された請求項１〜請求項７のいずれか一項に記載のフレキシブルコンテナバッグ用補強シートと、を含み、前記内袋は、収容空間を囲むよう中空略長方体になっている袋本体を有し、前記袋本体は、上下両端が開口する中空四角柱を構成した４つの側壁部を有し、前記４つのフレキシブルコンテナバッグ用補強シートそれぞれの一対の反対側にある両側縁は、前記４つの側壁部が囲んでなっている中空四角柱の４つの角それぞれを構成している隣接する２つの前記側壁部のそれぞれに縫い合わされていることを特徴とするフレキシブルコンテナバッグを提供する。
【考案の効果】
【００１１】
上記構成により、本考案のフレキシブルコンテナバッグ用補強シートは、ポリエチレン織布、２つのラミネート層、２つの補強層による５層構造を有する上、全体がポリプロピレンより靱性が高いポリエチレンにより構成されているので、荷物からの押圧により変形されても、破損しにくいので、本考案のフレキシブルコンテナバッグ用補強シートを使用したフレキシブルコンテナバッグは、従来のフレキシブルコンテナバッグより荷物を汚染する状況を大幅に減少できる。
【図面の簡単な説明】
【００１２】
【図１】従来のフレキシブルコンテナバッグを示す部品分解図である。
【図２】本考案のフレキシブルコンテナバッグ用補強シートの実施形態を示す斜視図である。
【図３】上記フレキシブルコンテナバッグ用補強シートを示す断面図である。
【図４】本考案のフレキシブルコンテナバッグの実施形態を示す部品分解図である。
【図５】上記フレキシブルコンテナバッグを示す断面図である。
【考案を実施するための形態】
【００１３】
以下、図面を参照しながら、本考案に係るフレキシブルコンテナバッグ用補強シート及びフレキシブルコンテナバッグの好ましい実施形態について詳しく説明する。
【００１４】
図２は本考案のフレキシブルコンテナバッグ用補強シートの実施形態を示す斜視図である。図３は上記フレキシブルコンテナバッグ用補強シートを示す断面図である。
【００１５】
本考案のフレキシブルコンテナバッグ用補強シート２の好ましい実施形態は、図２に示されるように、複数の貫通穴２２が開けられているシート本体２１を具える。この実施形態において、フレキシブルコンテナバッグ用補強シート２は長方形に構成されている。
【００１６】
シート本体２１は、図３に示されるように、ポリエチレン織布２１１と、２つのラミネート層２１２と、２つの補強層２１３と、を含む５層構造を有するものである。
【００１７】
ポリエチレン織布２１１は、高密度ポリエチレン（ＨＤＰＥ）製の糸により構成され、好ましくは、デニールが６５０〜２０００の範囲内にあり、且つ、スレッドカウントが１４〜３４の範囲内にある。
【００１８】
２つのラミネート層２１２は、低密度ポリエチレン（ＬＤＰＥ）により形成されたものであって、ポリエチレン織布２１１の両面それぞれにラミネートされている。ラミネート方法に特に制限はなく、塗布、含浸、押し出しなどの方法を使用できる。
【００１９】
各ラミネート層２１２の厚さは、１０マイクロメートル〜４０マイクロメートルの範囲内にあり、好ましくは、１５マイクロメートル〜３０マイクロメートルの範囲内にある。
【００２０】
２つの補強層２１３は、直鎖状低密度ポリエチレン（ＬＬＤＰＥ）、低密度ポリエチレンまたはそれらの組み合わせにより形成されたフィルムであって、２つのラミネート層２１２をそれぞれポリエチレン織布２１１との間に挟むように２つのラミネート層２１２それぞれの外面に例えば貼り合わせられて設置されている。直鎖状低密度ポリエチレン及び低密度ポリエチレンの組み合わせを使用する場合、直鎖状低密度ポリエチレンと低密度ポリエチレンとの構成比は特に制限されていなく、コスト、所望の強度、加工性などに応じて適当に調整できる。
【００２１】
補強層２１３の厚さは、５０マイクロメートル〜１００マイクロメートルの範囲内にあり、好ましくは、６０マイクロメートル〜８０マイクロメートルの範囲内にある。
【００２２】
複数の貫通穴２２は、シート本体２１を５層構造に構成した後、シート本体２１を裁断することにより開けられている。貫通穴２２の形は、特に制限されていなく、円形、四角形、楕円形などに形成でき、この実施形態において、貫通穴２２の形は、卵形に形成されている。
【００２３】
本考案のフレキシブルコンテナバッグ用補強シートの製造方法は、先ずポリエチレン織布２１１を中心層とし、そして、低密度ポリエチレンをポリエチレン織布２１１の両面にラミネートして２つのラミネート層２１２を形成する。そして、２つのラミネート層２１２が硬化する前に、２つのラミネート層２１２それぞれに、ポリエチレンにより形成されたフィルムを貼り付けて２つの補強層２１３を形成する。最後に、加圧により形状を固定した後、適宜の形に裁断して複数の貫通穴２２を開けることにより本考案のフレキシブルコンテナバッグ用補強シートを得る。
【００２４】
上記の構成によれば、本考案のフレキシブルコンテナバッグ用補強シートは全体的にポリエチレンにより構成されているので、フレキシブルコンテナバッグを支持できる強度を有する上、靭性がポリプロピレンより高く、押圧により変形されても、破損しにくく、ポリエチレン織布をよりよく保護できて、ポリエチレン織布を構成する糸が抜けることを防止できる。また、ラミネート層２１２と補強層２１３とはポリエチレンにより形成されたので、ラミネート層２１２と補強層２１３との粘着力も高く、補強層２１３が剥がれ難い。よって、フレキシブルコンテナバッグ用補強シート２の周縁及びその貫通穴２２の周縁部分においても有効にポリエチレン織布を保護できる。
【００２５】
図４は本考案のフレキシブルコンテナバッグの実施形態を示す部品分解図である。図５は上記フレキシブルコンテナバッグを示す断面図である。
【００２６】
本考案のフレキシブルコンテナバッグの好ましい実施形態は、図４に示されるように、４つの上記のフレキシブルコンテナバッグ用補強シート２と、織物製の外袋３及び内袋４と、により構成されている。
【００２７】
内袋４は、中空略長方体になる収容空間４３を囲んでいる袋本体４１と、２つの輸送管４２と、により構成されている。
【００２８】
袋本体４１は、上下両端が開口する中空四角柱を構成した４つの側壁部４１３と、該中空四角柱の上端開口を覆うと共に、１つの輸送管４２が収容空間４３に連通するように設置されている頂壁部４１１と、該中空四角柱の下端開口を覆うと共に、別の１つの輸送管４２が収容空間４３に連通するように設置されている底壁部４１２と、により構成されている。
【００２９】
外袋３は、内袋４が設置できるように上下両端が開口する内袋設置空間３４を囲んでいる周壁部３１と、輸送管４２が通過できる通過穴３２１が開けられながら、内袋設置空間３４の上下両端それぞれの開口を覆っている２つの端壁部３２と、周壁部３１の上端における４つの角それぞれに設置されている４つの吊ベルト３３と、により構成されている。
【００３０】
４つのフレキシブルコンテナバッグ用補強シート２は、図５に示されるように、それぞれの一対の反対側にある両側縁が、４つの側壁部４１３が囲んでなっている中空四角柱の４つの角それぞれを構成している隣接する２つの側壁部４１３のそれぞれに縫い合わされることにより、内袋４に設置されている。
【００３１】
この実施形態において、フレキシブルコンテナバッグ用補強シート２の前記両側縁それぞれは、図５に示されるように、側壁部４１３における中空四角柱の角から側壁部４１３の幅の１／３〜２／５の位置に縫い合わされている。
【００３２】
本考案のフレキシブルコンテナバッグを用いて、荷物を収容する際には、底壁部４１２に設置されている輸送管４２を閉めてから、頂壁部４１１に設置されている輸送管４２を開けて荷物を収容空間４３に送入する。そして、収容空間４３に送入された荷物が収容空間４３、及び、フレキシブルコンテナバッグ用補強シート２の複数の貫通穴２２を通じてフレキシブルコンテナバッグ用補強シート２と側壁部４１３との間にも詰まる。荷物を排出する際には、底壁部４１２に設置されている輸送管４２を他の荷物を収容するものに照準して輸送管４２を開けると、荷物が重力により底壁部４１２に設置されている輸送管４２を通して排出される。
【００３３】
上記の構成によれば、荷物を収容・排出する際にフレキシブルコンテナバッグ用補強シート３が荷物の押圧により変形されても、ポリエチレン製のラミネート層２１２及び補強層２１３の靭性が高いので、ラミネート層２１２及び補強層２１３が破損して中央層とするポリエチレン織布が露出することが無く、荷物が直接にポリエチレン織布を押圧・摩擦して、ポリプロピレン織布を構成する糸が抜けて荷物に混入する事を従来の補強シートよりも大幅に低減できる。
【産業上の利用可能性】
【００３４】
本考案のフレキシブルコンテナバッグ用補強シートは、粉末や粒状物などの荷物を保管・運搬するのに使用するフレキシブルコンテナバッグに適用できる。本考案のフレキシブルコンテナバッグ用補強シートを使用するフレキシブルコンテナバッグは、特に不純物の許容範囲が低い荷物を保管・運搬するのに好適である。
【符号の説明】
【００３５】
２  フレキシブルコンテナバッグ用補強シート
２２  貫通穴
２１  シート本体
２１１  ポリエチレン織布
２１２  ラミネート層
２１３  補強層
３  外袋
３１  周壁部
３２  端壁部
３２１  通過穴
３３  吊ベルト
３４  内袋設置空間
４  内袋
４１  袋本体
４１１  頂壁部
４１２  底壁部
４１３  側壁部
４２  輸送管
４３  収容空間
【図１】
0003214968.tif 000003
【図２】
0003214968.tif 000004
【図３】
0003214968.tif 000005
【図４】
0003214968.tif 000006
【図５】
0003214968.tif 000007